【手続補正書】
【提出日】平成25年4月16日(2013.4.16)
【手続補正１】
【補正対象書類名】特許請求の範囲
【補正対象項目名】全文
【補正方法】変更
【補正の内容】
【特許請求の範囲】
【請求項１】
（ａ）モビリティドメイン内の第１のモビリティスイッチと第２のモビリティスイッチとの間に第１のモビリティトンネルを確立するステップと、
前記モビリティドメインはモバイルユニットに対する無線ネットワーク接続を提供し、前記第１のモビリティスイッチおよび前記第２のモビリティスイッチは１つまたは複数のモバイルユニットからのデータトラフィックを処理するネットワークスイッチであり、前記第１のモビリティトンネルは前記モビリティスイッチ間の制御メッセージングのためのコネクションを提供する、
（ｂ）前記第１のモビリティトンネルを介して前記第１のモビリティスイッチと前記第２のモビリティスイッチとの間でアドバタイズメントを交換するステップと、
前記アドバタイズメントはそれぞれのモビリティスイッチがモビリティＶＬＡＮサーバとして作用するためのモビリティ仮想ローカルエリアネットワーク（ＶＬＡＮ）を識別し、前記第１のモビリティスイッチは第１のモビリティＶＬＡＮに対する第１のモビリティＶＬＡＮサーバとして作用する、
（ｃ）前記第１のモビリティＶＬＡＮのメンバとして前記第２のモビリティスイッチを追加する要求を受信するステップと、
前記要求は、第１のモバイルユニットが前記第２のモビリティスイッチを介して前記第１のモビリティＶＬＡＮに接続しようと試みた場合に前記第１のモビリティトンネルを介して受信され、前記第１のモバイルユニットは前記第１のモビリティＶＬＡＮのメンバである、および
（ｄ）前記第１のモビリティＶＬＡＮのメンバとして前記第１のモビリティトンネルを追加することにより、前記第２のモビリティスイッチが前記第１のモビリティＶＬＡＮにアクセスすることを可能にするステップと、
を有する
ことを特徴とするコンピュータで実施する方法。
【請求項２】
（ｅ）前記第１のモビリティスイッチと第１のアクセスポイントデバイスとの間に第１のアクセストンネルを確立するステップと、
前記第１のアクセスポイントデバイスは前記第１のモビリティスイッチへのネットワークコネクションを有し、前記第１のアクセスポイントデバイスは１つまたは複数のモバイルユニットに無線ネットワーク接続を提供する、および
（ｆ）前記第２のモビリティスイッチと第２のアクセスポイントデバイスとの間に第２のアクセストンネルを確立するステップと、
をさらに有し、
前記第２のアクセスポイントデバイスは前記第２のモビリティスイッチへのネットワークコネクションを有し、前記第２のアクセスポイントデバイスは前記モビリティドメイン内の１つまたは複数のモバイルユニットに無線ネットワーク接続を提供する、
ことを特徴とする請求項１記載の方法。
【請求項３】
前記ステップ（ｃ）が、
（ｃ１）前記第１のモビリティＶＬＡＮのメンバとして前記第２のアクセスポイントデバイスを追加する要求を受信するステップ、を有し、
前記要求は、前記第１のモバイルユニットが前記第２のアクセスポイントデバイスを介して前記第１のモビリティＶＬＡＮに接続しようと試みた場合に、前記第２のアクセストンネルを介して受信される、
ことを特徴とする請求項２記載の方法。
【請求項４】
前記ステップ（ｄ）は、前記第１のモバイルユニットが、前記第１のモビリティＶＬＡＮにおけるメンバシップの一部として前記第１のモバイルユニットに割り当てられたインターネットプロトコルアドレスを保持することを可能にし、前記第２のモビリティスイッチは、前記第１のモビリティスイッチとは異なるサブネットに属する
ことを特徴とする請求項３記載の方法。
【請求項５】
（ｇ）前記第１のモビリティＶＬＡＮを前記第２のモビリティスイッチに移動する要求を前記第２のモビリティスイッチから受信するステップと、
前記要求は、前記第１のモバイルユニットが前記第２のアクセスポイントデバイスを介して前記第１のモビリティＶＬＡＮに接続しようと試みた場合に受信され、
（ｈ）前記第２のモビリティスイッチを前記第１のモビリティＶＬＡＮサーバとして作用させるステップと、
をさらに有する
ことを特徴とする請求項２記載の方法。
【請求項６】
前記ステップ（ｂ）が、
（ｂ１）それぞれのモビリティスイッチにおけるＶＬＡＮサーバテーブルに、モビリティＶＬＡＮへのそれぞれのアクセスを記録するステップ、
を含む
ことを特徴とする請求項１記載の方法。
【請求項７】
前記モビリティドメインがモバイルユニットに対する無線ネットワーク接続を提供することは、前記第１のモビリティＶＬＡＮが前記第１のモビリティスイッチ上のスタティックＶＬＡＮにマッピングされることを含み、各モビリティスイッチが、モバイルユニットおよび有線コンピューティングデバイスの両方にネットワーク接続を提供する、
ことを特徴とする請求項１記載の方法。
【請求項８】
（ｉ）各モビリティスイッチがサポート可能なコンピューティング負荷に基づいて、各モビリティスイッチに割り当てられるモビリティＶＬＡＮ数の負荷分散を行うステップ、
をさらに有する
ことを特徴とする請求項７記載の方法。
【請求項９】
（ｊ）少なくとも２つの異なるモビリティドメインを提供するステップと、
（ｋ）前記２つの異なるモビリティドメインにまたがるモビリティスイッチ間でアドバタイズメントを交換することにより、前記２つの異なるモビリティドメインにまたがる他のモビリティＶＬＡＮへのアクセスを選択的に阻止しながら、前記２つの異なるモビリティドメインにまたがるアクセスを前記第１のモビリティＶＬＡＮに提供するステップと
をさらに有する
ことを特徴とする請求項１記載の方法。
【請求項１０】
メモリと、
プロセッサと、
通信インタフェースと、
前記メモリ、前記プロセッサおよび前記通信インタフェースを結合する相互接続メカニズムと
を有するコンピュータシステムにおいて、前記メモリは命令を記憶し、該命令が、前記プロセッサによって実行されるときに、
（ａ）モビリティドメイン内の第１のモビリティスイッチと第２のモビリティスイッチとの間に第１のモビリティトンネルを確立するステップ、
前記モビリティドメインはモバイルユニットに対する無線ネットワーク接続を提供し、前記第１のモビリティスイッチおよび前記第２のモビリティスイッチは１つまたは複数のモバイルユニットからのデータトラフィックを処理するネットワークスイッチであり、前記第１のモビリティトンネルは前記モビリティスイッチ間の制御メッセージングのためのコネクションを提供する、
（ｂ）前記第１のモビリティトンネルを介して前記第１のモビリティスイッチと前記第２のモビリティスイッチとの間でアドバタイズメントを交換するステップ、
前記アドバタイズメントはそれぞれのモビリティスイッチがモビリティＶＬＡＮサーバとして作用するためのモビリティ仮想ローカルエリアネットワーク（ＶＬＡＮ）を識別し、前記第１のモビリティスイッチは第１のモビリティＶＬＡＮに対する第１のモビリティＶＬＡＮサーバとして作用する、
（ｃ）前記第１のモビリティＶＬＡＮのメンバとして前記第２のモビリティスイッチを追加する要求を受信するステップ、
前記要求は、第１のモバイルユニットが前記第２のモビリティスイッチを介して前記第１のモビリティＶＬＡＮに接続しようと試みた場合に前記第１のモビリティトンネルを介して受信され、前記第１のモバイルユニットは前記第１のモビリティＶＬＡＮのメンバである、および
（ｄ）前記第１のモビリティＶＬＡＮのメンバとして前記第１のモビリティトンネルを追加することにより、前記第２のモビリティスイッチが前記第１のモビリティＶＬＡＮにアクセスすることを可能にするステップ、
の動作を該システムに実行させることを特徴とするコンピュータシステム。